【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
複数の光電変換部と、第１の選択トランジスタと、前記第１の選択トランジスタとは別の第２の選択トランジスタとを各々が有する複数の画素セルを備え、
第１の信号線に、前記複数の画素セルのうちの一部の複数の画素セルの各々の前記第１の選択トランジスタが接続され、
前記第１の信号線とは別の第２の信号線に、前記複数の画素セルのうちの他の一部の複数の画素セルの各々の前記第２の選択トランジスタが接続された撮像装置の駆動方法であって、
前記複数の画素セルのうちの一部の複数の画素セルの各々の前記第１の選択トランジスタがオンの状態である期間を重ね、
前記複数の画素セルのうちの他の一部の複数の画素セルの各々の前記第２の選択トランジスタがオンの状態である期間を重ねることを特徴とする撮像装置の駆動方法。
【請求項２】
前記複数の画素セルが、前記複数の光電変換部のうちの一部の光電変換部に第１の色の光を入射させる第１のカラーフィルタと、前記複数の光電変換部のうちの他の一部に前記第１の色とは別の色である第２の色の光を入射させる第２のカラーフィルタとを有し、
前記第１の信号線に接続される、前記一部の複数の画素セルの各々の前記第１の選択トランジスタが出力する信号が、前記一部の光電変換部の電荷に基づく信号であり、
前記第２の信号線に接続される、前記他の一部の複数の画素セルの各々の前記第２の選択トランジスタが出力する信号が、前記他の一部の光電変換部の電荷に基づく信号であることを特徴とする請求項１に記載の撮像装置の駆動方法。
【請求項３】
前記複数の画素セルの各々は、複数のマイクロレンズを有し、
前記一部の光電変換部は、１つのマイクロレンズを透過した光が入射する複数の光電変換部であり、
前記他の一部の光電変換部は、別の１つのマイクロレンズを透過した光が入射する複数の光電変換部であることを特徴とする請求項２に記載の撮像装置の駆動方法。
【請求項４】
前記第１の信号線に前記第１の選択トランジスタが接続される前記一部の複数の画素セル同士の間に配された画素セルの数と、
前記第２の信号線に前記第２の選択トランジスタが接続される前記他の一部の複数の画素セル同士の間に配された画素セルの数とを同じにすることを特徴とする請求項１〜３のいずれか１項に記載の撮像装置の駆動方法。
【請求項５】
前記複数の光電変換部に接続された１つの増幅トランジスタをさらに備え、
前記第１の選択トランジスタと前記第２の選択トランジスタとの各々が前記１つの増幅トランジスタに接続され、
前記１つの増幅トランジスタは、前記複数の光電変換部の各々の電荷が転送される入力ノードを有し、
前記一部の複数の画素セルの各々の前記第１の選択トランジスタがオンの状態である期間を重ねている期間、前記一部の複数の画素セルの各々の前記１つの増幅トランジスタの前記入力ノードは、他の増幅トランジスタの前記入力ノードには接続されず、
前記他の一部の複数の画素セルの各々の前記第２の選択トランジスタがオンの状態である期間を重ねている期間、前記他の一部の複数の画素セルの各々の前記１つの増幅トランジスタの前記入力ノードは、他の増幅トランジスタの前記入力ノードには接続されないことを特徴とする請求項１〜４のいずれか１項に記載の撮像装置の駆動方法。
【請求項６】
複数の光電変換部と、第１の選択トランジスタと、前記第１の選択トランジスタとは別の第２の選択トランジスタとを各々が有する複数の画素セルと、を備え、
第１の信号線に、前記複数の画素セルのうちの一部の複数の画素セルの各々の前記第１の選択トランジスタが接続され、
前記第１の信号線とは別の第２の信号線に、前記複数の画素セルのうちの他の一部の複数の画素セルの各々の前記第２の選択トランジスタが接続され、
前記複数の画素セルの一部の画素セルが、前記複数の光電変換部のうちの一部の光電変換部に第１の色の光を入射させる第１のカラーフィルタを有し、
前記複数の画素セルの他の一部の画素セルが、前記複数の光電変換部のうちの他の一部の光電変換部に第２の色の光を入射させる第２のカラーフィルタを有し、
前記一部の光電変換部は、１つのマイクロレンズを透過した光が入射する複数の光電変換部であり、
前記他の一部の光電変換部は、別の１つのマイクロレンズを透過した光が入射する複数の光電変換部である撮像装置の駆動方法であって、
前記一部の画素セルの前記第１の選択トランジスタが、前記一部の光電変換部の電荷に基づく信号を前記第１の信号線に出力する期間の一部の期間と、
前記他の一部の画素セルの前記第２の選択トランジスタが、前記一部の光電変換部の電荷に基づく信号を前記第２の信号線に出力する期間の一部の期間とを重ねることを特徴とする撮像装置の駆動方法。
【請求項７】
前記一部の画素セルの前記第１の選択トランジスタが、前記一部の光電変換部の電荷に基づく信号を前記第１の信号線に出力する期間の全期間と、
前記他の一部の画素セルの前記第２の選択トランジスタが、前記他の一部の光電変換部の電荷に基づく信号を前記第２の信号線に出力する全期間とを重ねることを特徴とする請求項６に記載の撮像装置の駆動方法。
【請求項８】
前記複数の光電変換部に接続された１つの増幅トランジスタをさらに備え、
前記第１の選択トランジスタと前記第２の選択トランジスタとの各々が前記１つの増幅トランジスタに接続され、
前記第１の信号線に接続された第１の電流源と、
前記第２の信号線に接続された第２の電流源とをさらに有し、
前記一部の画素セルの前記第１の選択トランジスタが、前記一部の光電変換部の電荷に基づく信号を前記第１の信号線に出力する期間が、前記一部の画素セルの前記増幅トランジスタに前記第１の電流源が前記第１の選択トランジスタを介して電流を供給する期間であり、
前記他の一部の画素セルの前記第２の選択トランジスタが、前記他の一部の光電変換部の電荷に基づく信号を前記第２の信号線に出力する期間が、前記他の一部の画素セルの前記増幅トランジスタに前記第２の電流源が前記第２の選択トランジスタを介して電流を供給する期間であることを特徴とする請求項６または７に記載の撮像装置の駆動方法。
【請求項９】
前記撮像装置は、複数の信号処理回路をさらに有し、
前記第１の信号線と、前記第２の信号線が互いに異なる信号処理回路に接続され、
前記複数の信号処理回路の各々は、前記第１の信号線を介して前記第１の選択トランジスタから出力される信号と、前記第２の信号線を介して前記第２の選択トランジスタから出力される信号との一方を処理することを特徴とする請求項１〜８のいずれか１項に記載の撮像装置の駆動方法。
【請求項１０】
複数の光電変換部と、第１の選択トランジスタと、前記第１の選択トランジスタとは別の第２の選択トランジスタとを各々が有する複数の画素セルを備え、
第１の信号線に、前記複数の画素セルのうちの一部の画素セルを各々の前記第１の選択トランジスタが接続され、
前記第１の信号線とは別の第２の信号線に、前記複数の画素セルのうちの他の一部の複数の画素セルの各々の前記第２の選択トランジスタが接続され、
垂直走査部をさらに有する撮像装置であって、
前記垂直走査部は、前記複数の画素セルのうちの一部の複数の画素セルの各々の前記第１の選択トランジスタがオンの状態である期間を重ね、
さらに前記垂直走査部は、前記複数の画素セルのうちの他の一部の複数の画素セルの各々の前記第２の選択トランジスタがオンの状態である期間を重ねることを特徴とする撮像装置。
【請求項１１】
複数の光電変換部と、第１の選択トランジスタと、前記第１の選択トランジスタとは別の第２の選択トランジスタとを各々が有する複数の画素セルと、
第１の信号線に、前記複数の画素セルのうちの一部の画素セルを各々の前記第１の選択トランジスタが接続され、
前記第１の信号線とは別の第２の信号線に、前記複数の画素セルのうちの他の一部の複数の画素セルの各々の前記第２の選択トランジスタが接続され、
前記複数の画素セルが、前記複数の光電変換部のうちの一部の光電変換部に第１の色の光を入射させる第１のカラーフィルタと、前記複数の光電変換部のうちの他の一部に第２の色の光を入射させる第２のカラーフィルタとを有し、
前記一部の光電変換部は、１つのマイクロレンズを透過した光が入射する複数の光電変換部であり、
前記他の一部の光電変換部は、別の１つのマイクロレンズを透過した光が入射する複数の光電変換部であり、
さらに垂直走査部を有する撮像装置であって、
前記垂直走査部は、
前記複数の画素セルの一部の画素セルの前記第１の選択トランジスタをオンの状態とする期間の少なくとも一部の期間と、前記複数の画素セルの他の一部の画素セルの前記第２の選択トランジスタをオンの状態とする期間の少なくとも一部の期間とを重ねることによって、
前記一部の画素セルの前記第１の選択トランジスタに、前記一部の光電変換部の電荷に基づく信号を前記第１の信号線に出力させ、
前記他の一部の画素セルの前記第２の選択トランジスタに、前記他の一部の光電変換部の電荷に基づく信号を前記第２の信号線に出力させることを特徴とする撮像装置。
【請求項１２】
前記複数の光電変換部に対して接続された１つの増幅トランジスタをさらに備え、
前記第１の選択トランジスタと前記第２の選択トランジスタとの各々が前記１つの増幅トランジスタに接続されることを特徴とする請求項１０又は１１に記載の撮像装置。
【請求項１３】
請求項１０または１２に記載の撮像装置と、
前記撮像装置が出力する信号を用いて画像を生成する信号処理部とを有することを特徴とする撮像システム。